(57)【要約】【課題】制御パラメータの変更を可能にして、より快適な暖房感が得られるようにすること。【解決手段】面状採暖具本体に配設された発熱体１と、面状採暖具の制御温度を設定する温度設定手段２と、温度設定手段２の設定温度毎の制御パラメータを格納するパラメータ格納手段３と、面状採暖具の温度を検出する温度検出手段４と、任意の補正値を入力する補正値入力手段６と、補正値入力手段６によって入力された値に応じて制御パラメータを補正するパラメータ補正手段７と、パラメータ補正手段７から得られた制御パラメータと温度検出手段４の検出値から発熱体１への通電制御を行う制御手段５とを備えている。これによって、外部より制御パラメータを補正することができるので、最適な制御パラメータを容易に設定することができ、使用者により快適な暖房感を与えることができる。【選択図】図１
2005326036.tif 000002
【特許請求の範囲】
【請求項１】
面状採暖具本体に配設された発熱体と、前記面状採暖具本体の制御温度を設定する温度設定手段と、該温度設定手段の設定温度毎の制御パラメータを格納するパラメータ格納手段と、面状採暖具本体の温度を検出する温度検出手段と、任意の補正値を入力する補正値入力手段と、該補正値入力手段によって入力された値に応じて制御パラメータを補正するパラメータ補正手段と、該パラメータ補正手段から得られた制御パラメータと前記温度検出手段の検出値から前記発熱体への通電制御を行う制御手段とを備えた面状採暖具。
【請求項２】
補正値入力手段は、Ａ／Ｄ入力を行うことを特徴とした請求項１記載の面状採暖具。
【請求項３】
補正値入力手段は、所定のレベル以下あるいは所定のレベル以上であれば、補正値を０とすることを特徴とした請求項１記載の面状採暖具。
【請求項４】
補正値入力手段は、複数の所定の設定温度での補正値を入力することを特徴とした請求項１記載の面状採暖具。
【請求項５】
パラメータ補正手段は、パラメータ格納手段に格納されている制御パラメータに補正値入力手段によって入力された補正値を加減算することによって補正することを特徴とした請求項１記載の面状採暖具。
【請求項６】
パラメータ補正手段は、複数の所定の設定温度以外は比例補間にて補正することを特徴とした請求項１記載の面状採暖具。
【請求項７】
パラメータ補正手段は、所定の設定温度での補正する割合を算出する補正率算出手段を備え、補正値算出手段によって算出された補正率によって全設定温度に対して一律に補正することを特徴とした請求項１記載の面状採暖具。
【請求項８】
パラメータ補正手段は、面状採暖具に供給されている電源の周波数を検出する電源周波数検出手段を備え、電源周波数検出手段の検出する周波数に応じて制御パラメータを補正する際に使用する補正値を変更することを特徴とした請求項１記載の面状採暖具。
【発明の詳細な説明】
【技術分野】
【０００１】
本発明は、電気カーペットや電気毛布、床暖房等の面状採暖具に関するものである。
【背景技術】
【０００２】
従来、この種の面状採暖具は、例えば図９に示すように、面状採暖具（図示せず）に配設された発熱体１１と、面状採暖具の制御温度を設定する温度設定手段１２と、温度設定手段１２の設定温度毎に制御パラメータを格納するパラメータ格納手段１３と、面状採暖具の温度を検出する温度検出手段１４と、パラメータ格納手段１３より設定温度に応じて得られた制御パラメータと温度検出手段１４にて検出された温度とから発熱体１１への通電を制御する制御手段１５を備えたものである（例えば、特許文献１参照）。
【０００３】
ここで、温度検出手段１４の検出値と面状採暖具の温度との関係を図１０に示す。発熱体１１に通電を行っている状態のときには、発熱体１１の温度上昇に伴い温度検出手段１４の検出値は小さくなる。この検出値が温度設定手段１２において設定した設定温度に相当する信号レベル（Ｖ１）まで低下したときに、制御手段１５において、発熱体１１への通電を非通電とするような温度制御を行っていた。
【０００４】
また、上記の信号レベル（Ｖ１）を設定温度毎に制御パラメータとしてパラメータ格納手段１３に格納しておくことで、各設定温度毎に細かく温度制御することが可能となっていた。さらにまた、パラメータ格納手段１３は多数の制御パラメータを有するため、マイコン等のＲＯＭに配置されるような構成となっていた。
【特許文献１】特開平６−１０２９４４号公報
【発明の開示】
【発明が解決しようとする課題】
【０００５】
しかしながら、前記従来の構成では、設定温度毎の制御パラメータがマイコン等のＲＯＭに配置されていたため、マイコン完成後には変更できず、例えば面状採暖具のサイズ変更による制御パラメータの変更や電気カーペット等のカーぺットカバーの違いによる制御パラメータの変更ができないという課題があった。
【０００６】
本発明は、前記従来の課題を解決するもので、外部より制御パラメータを補正することで、容易に最適な制御パラメータを設定することができ、使用者により快適な暖房感を与えることができる面状採暖具を提供することを目的としたものである。
【課題を解決するための手段】
【０００７】
前記従来の課題を解決するために、面状採暖具本体に配設された発熱体と、面状採暖具の制御温度を設定する温度設定手段と、温度設定手段の設定温度毎の制御パラメータを格納するパラメータ格納手段と、面状採暖具の温度を検出する温度検出手段と、任意の補正値を入力する補正値入力手段と、補正値入力手段によって入力された値に応じて制御パラメータを補正するパラメータ補正手段と、パラメータ補正手段から得られた制御パラメータと温度検出手段の検出値から発熱体への通電制御を行う制御手段とを備えた構成としたものである。
【０００８】
これにより、外部より制御パラメータを補正することで、容易に最適な制御パラメータを設定することができ、使用者により快適な暖房感を与えることができる。
【発明の効果】
【０００９】
本発明の面状採暖具によれば、外部より制御パラメータを補正することで、容易に最適な制御パラメータを設定することができ、使用者により快適な暖房感を与えることができる。
【発明を実施するための最良の形態】
【００１０】
請求項１に記載の発明は、面状採暖具本体に配設された発熱体と、面状採暖具の制御温度を設定する温度設定手段と、温度設定手段の設定温度毎の制御パラメータを格納するパラメータ格納手段と、面状採暖具の温度を検出する温度検出手段と、任意の補正値を入力する補正値入力手段と、補正値入力手段によって入力された値に応じて制御パラメータを補正するパラメータ補正手段と、パラメータ補正手段から得られた制御パラメータと温度検出手段の検出値から発熱体への通電制御を行う制御手段とを備えた構成とすることにより、外部より制御パラメータを補正することができることから、容易に最適な制御パラメータを設定することができ、使用者により快適な暖房感を与えることができる。
【００１１】
請求項２に記載の発明は、補正値入力手段をＡ／Ｄ入力にて行う構成とすることにより、入力する電圧値に応じて様々な補正値を入力することが可能となり、制御パラメータの補正幅が広がり、より最適な制御パラメータに設定することができ、使用者により快適な暖房感を与えることができる。
【００１２】
請求項３に記載の発明は、補正値入力手段を、所定のレベル以下あるいは所定のレベル以上であれば、補正値を０とする構成とすることにより、補正値入力手段を構成する部品の点数を減らすことができ、コストダウンにつながる。
【００１３】
請求項４に記載の発明は、補正値入力手段を複数の所定の設定温度での補正値を入力する構成としたことにより、複数の設定温度で補正することができ、より最適な制御パラメータに設定することができ、使用者により快適な暖房感を与えることができる。
【００１４】
請求項５に記載の発明は、パラメータ補正手段をパラメータ格納手段に格納されている制御パラメータに補正値入力手段によって入力された補正値を加減算することによって補正する構成としたことにより、補正値入力手段に入力した補正値分だけ補正されることになり、容易に制御パラメータの補正が可能となる。
【００１５】
請求項６に記載の発明は、パラメータ補正手段を、複数の所定の設定温度以外は比例補間にて補正する構成としたことにより、全ての設定温度に対して補正値を入力する必要がないことから、補正値入力手段の数を減らすことができ、コストダウンにつながる。
【００１６】
請求項７に記載の発明は、パラメータ補正手段を、所定の設定温度での補正する割合を算出する補正率算出手段を備え、補正値算出手段によって算出された補正率によって全設定温度に対して一律に補正する構成としたことにより、より最適な制御パラメータを設定することができ、使用者により快適な暖房感を与えることができる。
【００１７】
請求項８に記載の発明は、パラメータ補正手段を、面状採暖具に供給されている電源の周波数を検出する電源周波数検出手段を備え、電源周波数検出手段の検出する周波数に応じて制御パラメータを補正する際に使用する補正値を変更する構成とすることにより、電源の周波数毎に補正値を切り替えることができ、電源の周波数の異なる地域で使用されても、使用者に対して同一の暖房感が提供できる。
【実施例】
【００１８】
以下本発明の実施例について、図面を参照しながら説明する。
【００１９】
（実施例１）
図１は、本発明の実施例１における面状採暖具のブロック図である。図１に示すように、面状採暖具（図示せず）に配設された発熱体１と、面状採暖具の制御温度を設定する温度設定手段２と、温度設定手段２の設定温度毎の制御パラメータを格納するパラメータ格納手段３と、面状採暖具の温度を検出する温度検出手段４と、任意の補正値を入力する補正値入力手段６と、補正値入力手段６によって入力された値に応じて制御パラメータを補正するパラメータ補正手段７とを備え、５は制御手段であり、パラメータ補正手段７から得られた制御パラメータと温度検出手段４の検出値から発熱体１への通電制御を行うものである。
【００２０】
以上のように構成された面状採暖具について、以下その動作、作用を説明する。
【００２１】
一般的に面状採暖具は、より精密な温度制御を行うために、制御パラメータを各設定温度（例えば１℃刻み）で保持している。しかし、制御パラメータを各設定温度毎に保持すると制御パラメータの数が増大するため、これらの制御パラメータはマイコン等のメモリに制御プログラムと共に格納される。
【００２２】
一方、面状採暖具は用途によって２畳相当、３畳相当、１．５畳相当等様々な大きさが存在する。この大きさによって発熱体の長さが異なることから、温度制御を行う制御パラメータもそれぞれ異なる。
【００２３】
さらに、電気カーペットのように面状採暖具の上にカバーをかけるようなものでは、カバーの種類（厚み、材質）等により面状採暖具の温度が変化することもあり、それに応じた制御パラメータの設定が必要となる。
【００２４】
これらのことから、面状採暖具の大きさが異なる、あるいはカバーが変更になるといった際には、異なる制御パラメータを盛り込んだマイコン等のメモリを新たに作成し、対応する必要があった。
【００２５】
ここで、制御パラメータ変更時の面状採暖具の温度と制御パラメータとの関係を図２に示す。
【００２６】
例えば、面状採暖具のサイズ変更等により制御パラメータの変更が必要なときは、図２に示すように、予めパラメータ格納手段３に格納している制御パラメータからの補正分を、補正値入力手段６で抵抗分圧等による電圧にて入力し、その入力した補正値に基づいて、パラメータ補正手段７にて制御パラメータを補正することで、本来設定したい制御パラメータに設定することができる。
【００２７】
こうすることで、新たにマイコン等のメモリを作成することなく、外部の抵抗の定数変更のみで最適な制御パラメータを設定することができ、使用者により快適な暖房感を提供することができる。
【００２８】
また、補正値入力手段６において補正値を入力する方法を、単純にＬｏ／Ｈｉの電圧として入力すると、一つの補正値入力手段６においては１ｂｉｔ分しか値を入力することができず、大きな補正値を入力すると、多数の補正値入力手段６が必要になってしまう。
【００２９】
さらに、補正値入力手段６をシリアル入力すると、シリアルインターフェーズが必要となってしまう。
【００３０】
そこで、補正値入力手段６の入力方法を例えば二つの抵抗の分圧入力とし、マイコン等のＡ／Ｄ変換機能を用いＡ／Ｄ値として入力することで、図３に示すように、Ａ／Ｄ値を所定の範囲で区切り、その範囲毎に補正値を割り当てることができ、一つの補正値入力手段６において多数のパターンの補正値を入力することができる。
【００３１】
また、補正値入力手段６の入力値が所定の電圧値以下のとき、あるいは所定の電圧値以上のときには補正値を０とすることによって、制御パラメータの補正が必要のないときには、分圧している二つの抵抗をどちらか一つに減らすことができ、コストダウンにつながる。
【００３２】
また、補正値入力手段６で入力する補正値が一つの設定温度のみだと、その他の設定温度での補正ができない。
【００３３】
そこで、補正値入力手段６で複数の補正値を入力することで、補正が必要な全ての設定温度に対して補正することができることから、より最適な制御パラメータに設定することができ、使用者により快適な暖房感を提供することができる。
【００３４】
また、パラメータ補正手段７は、パラメータ格納手段３に格納されている制御パラメータに対して（例えば所定の設定温度での制御パラメータをＡとする）、補正値入力手段６において入力した補正値をＢとすると、補正後の制御パラメータをＡ＋Ｂとすることで、容易に制御パラメータを補正することができ、使用者により快適な暖房感を提供することができる。
【００３５】
言うまでもないが、補正値が負の場合には、補正後のパラメータをＡ−Ｂとして算出する。
【００３６】
また、全ての設定温度に対して補正を行うとすると、全ての設定温度に対応した補正値入力手段６が必要となり、コストアップにつながる。
【００３７】
図４は、比例計算にて補正値を算出した場合の面状採暖具の温度と制御パラメータとの関係を表したものである。
【００３８】
図４に示すように、例えば補正値入力手段６にて入力した低目盛（２７℃）での補正値が０，高目盛（４７℃）での補正値が＋１０とすると、低目盛から高目盛までの間の温度（例えば中目盛３７℃）に関しては、低目盛での補正値（０）と高目盛での補正値（＋１０）との比例計算を行い、＋５という補正値を用いて補正する。
【００３９】
このように、所定の設定温度の間の設定温度に関しては、比例計算した補正値を用いて補正することで、全ての設定温度に対して補正値を入力する必要がなく、補正値入力手段６の数を減らすことができることから、コストダウンにつながる。
【００４０】
（実施例２）
本発明の実施例２について図面を用いて説明する。
【００４１】
図５は、本発明の実施例２における面状採暖具のブロック図である。図５に示すように、パラメータ補正手段７は、所定の設定温度での補正する割合を算出する補正率算出手段８を備え、補正率算出手段８によって算出された補正率によって全設定温度に対して一律に補正するものである。
【００４２】
ここで、例えば高目盛の補正値を補正値入力手段６によって入力したとする。
【００４３】
図６は、補正率を用いて補正を行う場合の面状採暖具の温度と制御パラメータの関係を表したものである。
【００４４】
図６に示すように、予めパラメータ格納手段３に格納されている高目盛の制御パラメータと基準点（例えば最低目盛）の制御パラメータとの差をＡ、高目盛での補正値をＢとしたときに、補正率Ｈを
Ｈ＝Ｂ／Ａ
で算出する。
【００４５】
ここで、他の設定温度（例えば中目盛）での補正値は、予めパラメータ格納手段３に格納されている中目盛の制御パラメータと基準点の制御パラメータとの差をＣとすると、補正率算出手段８では、中目盛での補正値Ｄを、
Ｄ＝Ｃ＊Ｈ
で算出する。
【００４６】
このように補正率算出手段８において、補正率を算出し、算出した補正率によって全設定温度に対して一律に補正する構成とすることにより、より最適な制御パラメータに補正することができ、使用者により快適な暖房感を与えることができる。
【００４７】
（実施例３）
本発明の実施例３について図面を用いて説明する。
【００４８】
図７は、本発明の実施例３における面状採暖具のブロック図である。図７に示すように、パラメータ補正手段７は、面状採暖具に供給されている電源の周波数を検出する電源周波数検出手段９を備え、電源周波数検出手段９の検出する周波数に応じて制御パラメータを補正する際に使用する補正値を変更するものである。
【００４９】
図８は、供給される電源の周波数の違いによる面状採暖具の温度と制御パラメータとの関係を表したものである。
【００５０】
図８に示すように、制御パラメータは、面状採暖具の温度がＴ１のときにおいても供給される電源の周波数によって、電源の周波数が５０Ｈｚの場合には制御パラメータはＰ５０となり、また、電源の周波数が６０Ｈｚの場合には制御パラメータがＰ６０となる特性を有している。
【００５１】
このような特性を有している制御パラメータに対し、パラメータ補正手段７において、供給される電源の周波数に関わらず同一の補正値を用いて補正を行ってしまうと、面状採暖具を使用している地域によって面状採暖具の温度に微妙な違いが生じてしまい、使用者に対して同一の暖房感が提供できない。
【００５２】
そこで、パラメータ補正手段７は、面状採暖具に供給されている電源の周波数を検出する電源周波数検出手段９を備え、電源周波数検出手段９の検出する周波数に応じて制御パラメータを補正する際に使用する補正値を変更するため、面状採暖具に供給される電源の周波数が異なる地域で使用されても、使用者に対して同一の暖房感が提供できる。
【図面の簡単な説明】
【００５３】
【図１】本発明の実施例１における面状採暖具のブロック図
【図２】同面状採暖具において制御パラメータ変更時の面状採暖具の温度と制御パラメータとの関係を示す特性図
【図３】同面状採暖具において補正値入力手段をＡ／Ｄ入力とした場合を表した図
【図４】同面状採暖具において比例計算にて補正値を算出した場合の面状採暖具の温度と制御パラメータとの関係を示す特性図
【図５】本発明の実施例２における面状採暖具のブロック図
【図６】同面状採暖具において補正率を用いて補正値を算出した場合の面状採暖具の温度と制御パラメータとの関係を示す特性図
【図７】本発明の実施例３における面状採暖具のブロック図
【図８】同面状採暖具において供給される電源の周波数の違いによる面状採暖具の温度と制御パラメータとの関係を示す特性図
【図９】従来の面状採暖具のブロック図
【図１０】同面状採暖具において温度検出手段と面状採暖具の温度との関係を示す特性図
【符号の説明】
【００５４】
１  発熱体
２  温度設定手段
３  パラメータ格納手段
４  温度検出手段
５  制御手段
６  補正値入力手段
７  パラメータ補正手段
８  補正率算出手段
９  電源周波数検出手段
【図１】
2005326036.tif 000003
【図２】
2005326036.tif 000004
【図３】
2005326036.tif 000005
【図４】
2005326036.tif 000006
【図５】
2005326036.tif 000007
【図６】
2005326036.tif 000008
【図７】
2005326036.tif 000009
【図８】
2005326036.tif 000010
【図９】
2005326036.tif 000011
【図１０】
2005326036.tif 000012